(57)【特許請求の範囲】
【請求項１】
身体に装着可能な装着型空気浄化装置であって、
装着者の鼻口近傍に送風可能な送風ユニットと、
前記送風ユニットを装着者の身体に支持させる支持部と、
を備え、
前記送風ユニットは、
ファンの回転により気体を吸入する吸気部と、
気体の流動方向において前記吸気部より前方に配設される排気部と、
前記排気部から気体が排出される方向を調整可能な方向調整部と、
を備え、
前記支持部は、
装着者の頸部後方に当接する当接部材と、
前記当接部材から装着者の頸部の周縁に沿って伸び、前記送風ユニットを支持する２本のアームと、
をさらに備え、
２本の前記アームは、前記当接部材を基端として各々相反する方向に伸びるとともに、装着者の頸部前方を開放し、
２体の前記送風ユニットは、２本の前記アームの先端に各々係合する装着型空気浄化装置。
【請求項２】
身体に装着可能な装着型空気浄化装置であって、
装着者の鼻口近傍に送風可能な送風ユニットと、
前記送風ユニットを装着者の身体に支持させる支持部と、
を備え、
前記送風ユニットは、
ファンの回転により気体を吸入する吸気部と、
気体の流動方向において前記吸気部より前方に配設される排気部と、
前記排気部から気体が排出される方向を調整可能な方向調整部と、
気体の流動方向において、前記吸気部より前方に配設されるフィルタと、
を備え、
前記フィルタは、銅を含有する繊維に当接する装着型空気浄化装置。
【請求項３】
前記送風ユニットは、装着者の頭部下方に配設され、
前記支持部は、装着者の身体に当接して前記送風ユニットを支持させる請求項１又は２に記載の装着型空気浄化装置。
【請求項４】
前記排気部は、気体を排出する排気口を備え、
前記方向調整部は、前記排気口周縁に形成される請求項１乃至３のいずれかに記載の装着型空気浄化装置。
【請求項５】
前記送風ユニットは、気体の吸入量を調整可能な吸気調整部、
をさらに備える請求項１乃至４のいずれかに記載の装着型空気浄化装置。
【請求項６】
前記吸気調整部は、前記吸気部に配設される請求項５に記載の装着型空気浄化装置。
【請求項７】
前記吸気調整部は、前記吸気部の内側に回動可能に嵌入される請求項６に記載の装着型空気浄化装置。
【請求項８】
前記ファンは、回転軸の直交方向に気体を送出し、
前記排気部は、環状に配設される排気口を備える請求項１乃至７のいずれかに記載の装着型空気浄化装置。
【請求項９】
前記吸気部は、
底部を中心として所定角度内を除く環状に配設されるスリット状の吸気口を備える請求項１乃至８のいずれかに記載の装着型空気浄化装置。
【請求項１０】
身体に装着可能な装着型空気浄化装置であって、
装着者の鼻口近傍に送風可能な送風ユニットと、
前記送風ユニットを装着者の身体に支持させる支持部と、
を備え、
前記送風ユニットは、
ファンの回転により気体を吸入する吸気部と、
気体の流動方向において前記吸気部より前方に配設される排気部と、
前記排気部から気体が排出される方向を調整可能な方向調整部と、
前記吸気部が装着者の身体に当接するのを抑制可能なスペーサと、
を備える装着型空気浄化装置。
【請求項１１】
前記スペーサは、前記吸気部に形成される吸気口と装着者との間に配設される請求項１０に記載の装着型空気浄化装置。
【請求項１２】
前記スペーサは、対向する前記吸気部の形状に対応する形状を備える請求項１１に記載の装着型空気浄化装置。
【請求項１３】
身体に装着可能な装着型空気浄化装置であって、
装着者の鼻口近傍に送風可能な送風ユニットと、
前記送風ユニットを装着者の身体に支持させる支持部と、
を備え、
前記送風ユニットは、
ファンの回転により気体を吸入する吸気部と、
気体の流動方向において前記吸気部より前方に配設される排気部と、
前記排気部から気体が排出される方向を調整可能な方向調整部と、
を備え、
前記排気部は、気体を排出する排気口を備え、
前記方向調整部は、前記排気口周縁に形成される装着型空気浄化装置。
【発明の詳細な説明】
【技術分野】
【０００１】
本発明は、装着型空気浄化装置の技術に関する。
【背景技術】
【０００２】
従来、鼻口から吸入する空気を浄化するため、ファン付きマスクが提供されている。その中には、外部から空気を取り込み、フィルタを通過させることにより塵芥を除去してからマスク内に空気を送出する太陽電池で駆動するファン付きマスクが提供されている（例えば特許文献１）。
【先行技術文献】
【特許文献】
【０００３】
【特許文献１】特開２０１１−０００２８８号公報
【発明の概要】
【発明が解決しようとする課題】
【０００４】
上記特許文献１において開示されるファン付きマスクによると、マスク内に浄化された空気が送出されるものの、マスク装着者の呼気がマスク内に滞留するため、ユーザーの鼻口近傍の空気を効率的に浄化するという点において改良の余地がある。
【０００５】
そこで、本発明は、上記従来の問題点を解決すべく、ユーザーの鼻口近傍の空気を効率的に浄化可能な装着型空気浄化装置を提供することを目的とする。
【課題を解決するための手段】
【０００６】
上記目的を達成するため、本発明は、身体に装着可能な装着型空気浄化装置であって、装着者の鼻口近傍に送風可能な送風ユニットと、前記送風ユニットを装着者の身体に支持させる支持部とを備え、前記送風ユニットは、ファンの回転により気体を吸入する吸気部と、気体の流動方向において前記吸気部より前方に配設される排気部と、前記排気部から気体が排出される方向を調整可能な方向調整部とを備え、前記支持部は、装着者の頸部後方に当接する当接部材と、前記当接部材から装着者の頸部の周縁に沿って伸び、前記送風ユニットを支持する２本のアームとをさらに備え、２本の前記アームは、前記当接部材を基端として各々相反する方向に伸びるとともに、装着者の頸部前方を開放し、２体の前記送風ユニットは、２本の前記アームの先端に各々係合する装着型空気浄化装置である。
【発明の効果】
【０００７】
本発明によると、ユーザーの鼻口近傍の空気を効率的に浄化することが可能となる。
【図面の簡単な説明】
【０００８】
【図１】本発明の第１実施形態における装着型空気浄化装置の構成の一例を示す図である。
【図２】本発明の第１実施形態における装着型空気浄化装置の装着状態の一例を示す図である。
【図３】本発明の第１実施形態における装着型空気浄化装置の構成の一例を示す図である。
【図４】本発明の第１実施形態における装着型空気浄化装置の構成の一例を示す図である。
【図５】本発明の第１実施形態における装着型空気浄化装置の構成の一例を示す図である。
【図６】本発明の第１実施形態における装着型空気浄化装置の構成の一例を示す図である。
【図７】本発明の第１実施形態における装着型空気浄化装置の構成の一例を示す図である。
【図８】本発明の第１実施形態における装着型空気浄化装置の構成の一例を示す図である。
【図９】本発明の第２実施形態における装着型空気浄化装置の構成の一例を示す図である。
【図１０】本発明の第２実施形態における装着型空気浄化装置の構成の一例を示す図である。
【図１１】本発明の第３実施形態における装着型空気浄化装置の構成の一例を示す図である。
【図１２】本発明の第４実施形態における装着型空気浄化装置の構成の一例を示す図である。
【図１３】本発明の第４実施形態における装着型空気浄化装置の構成の一例を示す図である。
【図１４】本発明の第４実施形態における装着型空気浄化装置の構成の一例を示す図である。
【図１５】本発明の第５実施形態における装着型空気浄化装置の構成の一例を示す図である。
【図１６】本発明の第５実施形態における装着型空気浄化装置の構成の一例を示す図である。
【図１７】本発明の第６実施形態における装着型空気浄化装置の構成の一例を示す図である。
【発明を実施するための形態】
【０００９】
本発明者は、装着型空気浄化装置について鋭意検討した結果、以下の知見を所有するに至った。
【００１０】
本発明の一態様である装着型空気浄化装置は、身体に装着可能な装着型空気浄化装置であって、装着者の鼻口近傍に送風可能な送風ユニットと、送風ユニットを装着者の身体に支持させる支持部とを備え、送風ユニットは、ファンの回転により気体を吸入する吸気部と、気体の流動方向において吸気部より前方に配設される排気部と、排気部から気体が排出される方向を調整可能な方向調整部とを備えてもよい。
【００１１】
このような構成により、装着者は、所望の方向に気体を排出させることにより、鼻口近傍の塵芥、花粉、細菌やウィルスなどを効率的に除去することが可能となる。なお、気体の流動方向において、気体の流動先の方向を前方とし、その反対の方向を後方とする。
【００１２】
このような構成により、鼻口近傍に塵芥、花粉、細菌やウィルスなど微細浮遊物を取り除いて浄化された空気を送り込むことが可能となる。
【００１３】
本発明の一態様である装着型空気浄化装置において、方向調整部は、排気部に形成されてもよい。
【００１４】
このような構成により、気体の排出される方向を微調整することが可能となる。
【００１５】
本発明の一態様である装着型空気浄化装置において、方向調整部は、排気口の周縁にフランジ状に拡張する延伸部と、延伸部を摺動可能に挟持する挟持部とをさらに備えてもよい。
【００１６】
このような構成により、延伸部が摺動することにより排気口の方向を変更可能となるため、排気方向を調整可能となる。
【００１７】
本発明の一態様である装着型空気浄化装置において、方向調整部は、ファンと、排気口との間において、人力により曲げることが可能な管状に構成されてもよい。
【００１８】
このような構成により、装着者の力により排気口の方向を変更させることが可能となる。
【００１９】
本発明の一態様である装着型空気浄化装置において、送風ユニットは、気体の流動方向においてファンより後方にフィルタを備えてもよい。
【００２０】
このような構成により、ファンが回転して気体を吸入する際に、塵芥、花粉、ウィルスや細菌など微細浮遊物を除去可能となる。このような構成により、微細浮遊物を低減させて浄化された空気を装着者の鼻口近傍に送り込むことが可能となる。
【００２１】
本発明の一態様である装着型空気浄化において、フィルタは、排気部より後方に配設されてもよい。
【００２２】
このような構成により、空気が排気部から排出される前に、塵芥やウィルスを除去可能となる。このような構成により、微細浮遊物を低減させて浄化された空気を装着者の鼻口近傍に送り込むことが可能となる。
【００２３】
本発明の一態様である装着型空気浄化装置において、フィルタは、銅を含有してもよい。
【００２４】
このような構成により、吸入された気体を良好に殺菌可能となる。
【００２５】
本発明の一態様である装着型空気浄化装置において、フィルタに銅を含有する繊維を当接させてもよい。
【００２６】
このような構成により、フィルタにより捕集された細菌やウィルスを殺菌することが可能となる。
【００２７】
本発明の一態様である装着型空気浄化装置において、支持部は、装着者の頸部後方に掛止可能に構成されてもよい。
【００２８】
このような構成により、支持部を頸部に掛けることにより当該装着型空気浄化装置を簡便に装着可能となる。
【００２９】
本発明の一態様である装着型空気浄化装置において、支持部は、送風ユニットに電源供給可能な電源部をさらに備えてもよい。
【００３０】
このような構成により、送風ユニットの重量を抑制することが可能となる。
【００３１】
本発明の一態様である装着型空気浄化装置において、電源部は、平板状に構成されてもよい。
【００３２】
このような構成により、電源部の厚みを抑制することが可能となる。
【００３３】
本発明の一態様である装着型空気浄化装置において、電源部は、モータの回転数を調整可能な操作部をさらに備えてもよい。
【００３４】
このような構成により、装着者は、所望の風量に調整可能となる。
【００３５】
本発明の一態様である装着型空気浄化装置において、送風ユニットは半球状に構成され、開口が環状に配設されてもよい。
【００３６】
本発明の一態様である装着型空気浄化装置において、送風ユニットは略楕円体状に形成され、排気部は、開口が平面視環状に配設されてもよい。
【００３７】
このような構成により、広角に気体を排出することが可能となる。
【００３８】
本発明の一態様である装着型空気浄化装置において、吸気部は、気体の吸入量を調整可能な吸気調整部をさらに備えてもよい。
【００３９】
このような構成により、吸入される気体の量を調整することにより、装着者の鼻口近傍に排出される風量を調整することが可能となる。
【００４０】
本発明の一態様である装着型空気浄化装置において、吸気部は、半球状に構成され、底面視環状に配設されるスリット状の吸気口を備え、吸気調整部は、吸気部の内側に配設され、吸気口の形状に対応する調整窓を備えてもよい。
【００４１】
このような構成により、吸気口と調整窓とにより吸気量を調整可能となる。
【００４２】
本発明の一態様である装着型空気浄化装置において、吸気口は、底面視中心点から所定角度内の領域に配設されないよう構成されてもよい。
【００４３】
このような構成により、装着者の身体に当接する可能性のある領域に吸気口が配設されないため、装着者の衣服等を吸い込むのを回避可能となる。
【００４４】
本発明の一態様である装着型空気浄化装置において、吸気口は、底面視中心点から６０度から８０度の領域内に配設されないよう構成されてもよい。
【００４５】
本発明の一態様である装着型空気浄化装置において、吸気口は、装着者の身体に対向しない面に形成されてもよい。
【００４６】
このような構成により、吸気口から装着者の衣服等が吸い込まれるのを回避可能となる。
【００４７】
本発明の一態様である装着型空気浄化装置において、吸気調整部は、吸気部底部に形成される貫通孔に挿通可能な調整つまみをさらに備えてもよい。
【００４８】
このような構成により、調整つまみを回動させることにより、吸気口と調整窓とが重なって形成される開口のサイズを調整可能となる。
【００４９】
本発明の一態様である装着型空気浄化装置において、支持部は、排気部と係合可能に構成されてもよい。
【００５０】
本発明の一態様である装着型空気浄化装置において、支持部は、排気部の周縁に当接して構成されてもよい。
【００５１】
このような構成により、吸気部が気体を吸入するのを妨げない。
【００５２】
本発明の一態様である装着型空気浄化装置において、送風ユニットは、遠心ファンにより構成され、支持部は、遠心ファンの回転軸を回動可能に支持してもよい。
【００５３】
このような構成により、ファンの回転軸から直交方向に排気されるため、広い範囲に対して送風することができる。
【００５４】
本発明の一態様である装着型空気浄化装置において、支持部は、装着者の身体に対応する位置にスペーサを備えてもよい。
【００５５】
このような構成により、送風ユニットが装着者の身体に当接するのを抑制し、装着者の衣服等がファンに巻き込まれるのを抑制することができる。
【００５６】
本発明の一態様である装着型空気浄化装置において、送風ユニットは、装着者の身体に対応する位置にスペーサを備えてもよい。
【００５７】
このような構成により、送風ユニットが装着者の身体に当接するのを抑制し、装着者の衣服等がファンに巻き込まれるのを抑制することができる。
【００５８】
本発明の一態様である装着型空気浄化装置において、支持部は、装着者の身体に当接する面が凹んだ当接部材を備えてもよい。
【００５９】
このような構成により、装着者の身体の形状に応じて当接することが可能となり、装着時の快適性を向上させることが可能となる。
【００６０】
（第１実施形態）
以下、本発明の第１実施形態を、図面に基づいて詳細に説明する。なお、同一の構成部材に対しては同一の符号を付し、これに関する重複する説明は省略する。
【００６１】
図１は、本発明の第１実施形態における装着型空気浄化装置１の構成の一例を示す図である。装着型空気浄化装置１は、送風ユニット２と、送風ユニット２を装着者の身体に支持させる支持部３とを備える。
【００６２】
装着型空気浄化装置１は、装着者の頭部周辺に装着される。第１実施形態において、装着型空気浄化装置１は、送風ユニット２と支持部３とを環状に配置して構成されてもよい。このような構成により、装着者は、頭部又は頸部に装着型空気浄化装置１を掛けて装着することが可能となる。
【００６３】
図１に示される例において、２つの送風ユニット２が支持部３の端部にそれぞれ係合する。支持部３は、装着者の身体に当接する当接部材１０と、当接部材１０から環状に伸びるアーム１２とを備える。これに限られず、１つの送風ユニット２が支持部３の一方側にのみ配設されてもよい。
【００６４】
送風ユニット２は、アーム１２の一端に係合する。図１に示される例において、当接部材１０から左右に環状に伸びるアーム１２に夫々送風ユニット２が係合する。このような構成により、装着者の左右に１つずつ送風ユニット２が配置される。このような構成により、送風ユニット２がバランスよく配置される。
【００６５】
送風ユニット２は、ファン３０の回転により排気する構成を備えてもよい。送風ユニット２は、ファン３０の回転により気体を吸入する吸気部５と、気体を排出する排気部７とを備える。
【００６６】
送風ユニット２は、図１に示される例のように、楕円体状又は球状に構成されてもよい。吸気部５と排気部７は、夫々中空の半楕円体状又は半球状に構成され、互いに係合可能に構成されてもよい。或いは、吸気部５と排気部７は、一体形成されてもよい。
【００６７】
吸気部５は、吸気口２０を備える。吸気口２０は、スリット状に構成されてもよい。排気部７は、上端部に排気口１５を備える。このような構成により、排気部７から排出される気体は、装着者の鼻口近傍に向けて噴出される。塵芥、花粉、ウィルス、細菌等の微細浮遊物を低減させて浄化した空気を装着者の鼻口近傍に送り出すことが可能となる。或いは、このような構成により、装着者の鼻口近傍の空気中に含まれる塵芥、花粉、ウィルス、細菌等の微細浮遊物を吹き飛ばすことが可能となる。
【００６８】
送風ユニット２は、排気部７から排出される気体の方向を調整可能な方向調整部１７を備える。このような構成により、装着者は、方向調整部１７を操作することにより所望の方向に気体を排出させることが可能となる。第１実施形態における方向調整部１７の具体的な構成は後述する。
【００６９】
図１に示される例において、当接部材１０は、装着者の頸部後方に当接可能に構成される。このような構成により、装着型空気浄化装置１は、安定的に装着者の身体に装着可能となる。
【００７０】
図１に示される例において、アーム１２は、当接部材１０の左右に一端を有し、外側に湾曲しながら前方に伸びる。アーム１２は、装着者の頸部の横を通って前方に伸び、送風ユニット２を支持する。送風ユニット２は、装着者の顎部の下方に配置される。このような構成により、装着者の顎部下方から上方に向けて送風される。
【００７１】
図２は、第１実施形態における装着型空気浄化装置１の装着態様の一例を示す図である。２本のアーム１２は、装着者の頸部の左右側を夫々前方に向かって伸びる。アーム１２は、外側に湾曲して構成されてもよい。
【００７２】
当接部材１０は、装着者の頸部後方に当接して装着型空気浄化装置１を支持する。このような構成により、装着型空気浄化装置１は装着者の身体から脱落するのを抑制される。
【００７３】
アーム１２は、人力により形状を変更可能な程度の可撓性を備えてもよい。このような構成により、装着者の身体に応じてアーム１２の形状を変更可能となる。このような構成によると、アーム１２の形状を変更させて排気口１５の方向を変更させることにより、送風ユニット２の送風方向を調整可能となる。
【００７４】
送風ユニット２は、装着者の頭部下方に配置されてもよい。送風ユニット２は、装着者の肩部前方に配置されてもよい。図２に示される例において、送風ユニット２は、装着者の鎖骨近傍に当接する。このような構成により、送風ユニット２は安定して支持される。
【００７５】
排気口１５は、装着者の鼻口方向に対向してもよい。このように、排気口１５が装着者の鼻口方向に向かうことにより、気体が鼻口の方向へ排出される。このような構成により、装着者の鼻口近傍の空気中の微細浮遊物を吹き飛ばすことが可能となる。
【００７６】
図３は、第１実施形態における送風ユニット２の構成の一例を示す図である。図３に示される例において、送風ユニット２は、吸気部５を下方に備え、排気部７を上方に備える。
【００７７】
図３に示される例において、送風ユニット２は、略楕円体に構成される。吸気部５は、排気部７と係合可能な中空の半楕円体状に構成される。吸気部５は、吸気口２０を備える。吸気口２０は、吸気部５の側面にスリット状に形成される。吸気口２０は、吸気部５の側面に環状に形成されてもよい。このような構成により、ファン３０が回転すると、吸気口２０から良好に空気が吸気部５内に吸入される。
【００７８】
第１実施形態において、吸気部５は、気体の吸入量を調整可能な吸気調整部２２を備える。このような構成により、吸入される気体量を調整することにより、装着者の鼻口近傍に排出される風量を調整可能となる。
【００７９】
図３に示される例において、吸気調整部２２は、吸気部５の底部に配設される。このような構成により、装着者は、吸気調整部２２を操作することにより、所望の風量に調整可能となる。
【００８０】
一例として、吸気調整部２２は、ファンの回転速度を制御する制御部（図示せず）に入力する操作部として構成されてもよい。或いは、吸気調整部２２は、電源部５０を構成するバッテリの電圧を制御する制御部（図示せず）に入力可能な操作部として構成されてもよい。
【００８１】
図３に示される例において、排気部７は、吸気部５と係合可能な中空の半楕円体状に構成される。排気部７は、上端側に排気口１５を備える。排気口１５は、円筒状に構成されてもよい。このような構成により、気体を円筒の中心軸方向に向けて排出することが可能となる。
【００８２】
第１実施形態において、排気部７は、上部に貫通孔を備える。排気口１５は、当該貫通孔に挿通され、外側に突出して配設される。方向調整部１７は、排気口１５の周縁に配設される。方向調整部１７は、排気口１５の下部周縁に配設される。排気口１５は、排気部７に対して着脱自在に構成されてもよい。
【００８３】
排気口１５は、開口面積を調整可能に構成されてもよい。一例として、排気口１５は、気体の流動方向に対して直交する断面視開口面積を調整可能な絞り部を備えてもよい。或いは、排気部７は、排気口１５の気体の流動方向に対して直交する断面視開口面積を調整可能な絞り部を備えてもよい。絞り部は、シャッターなど公知の部材を用いることが可能である。このような構成により、装着者は、排気口１５から排出される気体が当たる領域を調整することが可能となる。
【００８４】
排気口１５は、気体の流動方向における長さを調整可能に構成されてもよい。一例として、筒状に構成される排気口１５は、気体の流動方向に伸縮可能な延長部を備えてもよい。
【００８５】
一例として方向調整部１７は、排気部７に形成される貫通孔内に配設されるとともに、排気部７に摺動可能に係合する。方向調整部１７が摺動することにより、排気口１５の中心軸の方向が変化する。このような構成により、気体の排出方向を所望の方向に変更可能となる。このような構成により、排気口１５の中心軸の方向を変化させて、排気方向を微調整することが可能となる。
【００８６】
方向調整部１７は、平面視円形状に構成されてもよい。このような構成により、排気部７と係合した状態で、所望の方向に摺動することが可能となる。
【００８７】
図３に示される例において、アーム１２は、送風ユニット２の形状に対応して湾曲し、送風ユニット２に係合する。アーム１２は、排気部７と係合してもよい。このような構成により、吸気口２０の前方側を開放させることが可能となる。アーム１２は、排気部７の周縁に当接してもよい。
【００８８】
図４は、第１実施形態における送風ユニット２の構成の一例を示す図である。送風ユニット２は、気体の流動方向に、吸気部５と、フィルタ３２と、ファン３０と、排気部７とが配置されて構成されてもよい。
【００８９】
吸気部５と排気部７とは、係合可能な中空の半楕円体により構成される。吸気部５と排気部７により形成される中空領域内に、フィルタ３２とファン３０とが配設される。
【００９０】
図４に示される例において、フィルタ３２は、気体の流動方向において吸気部５より前方に配設される。このような構成により、吸気部５から吸入される気体中に含有される微細浮遊物を捕集することが可能となる。
【００９１】
好ましくは、フィルタ３２は、気体の流動方向において、ファン３０より後方に配設されてもよい。このような構成により、ファン３０に微細浮遊物が付着することを抑制可能となる。
【００９２】
或いは、フィルタ３２は、気体の流動方向において、ファン３０より前方で、排気部７より後方に配設されてもよい。このような構成により、気体が排気部７から排出される直前に微細浮遊物を捕集可能となる。
【００９３】
フィルタ３２は、ＨＥＰＡフィルタやＵＬＰＡフィルタなど、粒子を捕集可能な公知のフィルタにより構成されてもよい。フィルタ３２は、銅繊維を含有してもよい。このような構成により、捕集された微細浮遊物に対する殺菌を行うことが可能となる。
【００９４】
或いは、フィルタ３２に対して銅を含有する繊維を当接させてもよい。このような構成により、フィルタ３２に捕集された微細浮遊物に対する殺菌を行うことが可能となり、フィルタ３２の交換回数を減少させることが可能となる。
【００９５】
図４に示される例では、吸気部５は、側面に環状に配設される吸気口２０を備える。吸気口２０は、吸気部５の底部を中心として環状に形成されてもよい。
【００９６】
或いは、後述するように、吸気部５は、底部を中心として所定角度内に吸気口２０が配置されない領域であるフラット部２１を備えてもよい。このように、所定角度内に吸気口２０が配置されない構成を備える場合、フラット部２１が装着者の身体に当接するよう装着型空気浄化装置１を装着することにより、吸気口２０に装着者の衣服などが巻き込まれるのを抑制することができる。
【００９７】
ファン３０は、吸気部５と排気部７とにより形成される中空領域内に配設される。第１実施形態において、ファン３０は、回転軸方向に気体を押し出す軸流ファンにより構成される。
【００９８】
図４に示される例において、排気部７は、上端部に貫通孔を備える。排気口１５は、筒状に構成される構成部材であり、排気部７に形成される当該貫通孔に挿通され、外側に突出する。
【００９９】
第１実施形態において、方向調整部１７は、排気部７に形成される。方向調整部１７は、排気口１５の周縁に形成されてもよい。方向調整部１７は、排気部７を摺動可能に平面視略円形状に構成されてもよい。このような構成により、排気口１５の機体噴出方向を変更可能となる。このような構成により、排気部７から排気される風向を容易に変更可能となる。
【０１００】
図５は、第１実施形態における装着型空気浄化装置１の構成の一例を示す図である。図５は、排気部７を拡大した断面図の一例である。
【０１０１】
図５に示される例において、排気部７は、上端が開口する中空の半楕円体状に構成される。排気口１５は、開口から外に突出して配設される。排気口１５の周縁に方向調整部１７が形成される。図５に示される例において、方向調整部１７は、延伸部１７ａ（１７）と、延伸部１７ａ（１７）を摺動可能に挟持する挟持部１７ｂ（１７）とをさらに備える。
【０１０２】
延伸部１７ａ（１７）は、排気口１５の下端における周縁から外側にフランジ状に伸びる構成部材である。延伸部１７ａ（１７）は、断面視排気部７の湾曲に対応して湾曲する。
【０１０３】
挟持部１７ｂ（１７）は、排気部７を構成する筐体とともに延伸部１７ａ（１７）を挟持する部材である。挟持部１７ｂ（１７）は、排気部７の開口周縁に形成される。挟持部１７ｂ（１７）は、平面視環状に構成されてもよい。挟持部１７ｂ（１７）は、排気部７を構成する筐体の内側に形成される。
【０１０４】
挟持部１７ｂ（１７）は、排気部７を構成する筐体とともに延伸部１７ａ（１７）を摺動可能に挟持する構成を備える。このような構成により、延伸部１７ａ（１７）が挟持部１７ｂ（１７）に挟持された状態で摺動させることにより、排気部７の方向を所望の方向に調整可能となる。
【０１０５】
図６は、第１実施形態における装着型空気浄化装置１を構成する挟持部１７ｂ（１７）の構成の一例を示す図である。第１実施形態において、挟持部１７ｂ（１７）は、排気部７に着脱自在に係合してもよい。挟持部１７ｂ（１７）は、排気部７に対応して湾曲する形状を備える。
【０１０６】
図６（ａ）に示される例において、挟持部１７ｂ（１７）は、排気部７に係合可能な係合孔１７ｃ（１７）を備えてもよい。排気部７は、内側に係合孔１７ｃ（１７）に挿通可能な突起を備えてもよい。
【０１０７】
図６（ｂ）に示されるように、排気部７の内側に形成される突起が係合孔１７ｃ（１７）に挿通されることにより、挟持部１７ｂ（１７）は排気部７に係合する。このような構成により、挟持部１７ｂ（１７）を排気部７から取り外し可能となる。このような構成により、排気口１５が排気部７から取り外し可能となり、排気口１５を交換することが可能となる。
【０１０８】
図６に示される例とは異なり、挟持部１７ｂ（１７）は、排気部７の開口周縁にスライドさせて係合可能に構成されてもよい。一例として、挟持部１７ｂ（１７）の外縁に螺子溝が形成され、排気部７の内側にもこれに対応する螺子溝が構成されてもよい。
【０１０９】
あるいは、挟持部１７ｂ（１７）は、排気部７に一体形成されてもよい。
【０１１０】
図７は、第１実施形態における装着型空気浄化装置１の構成の一例を示す図である。図７において、装着型空気浄化装置１の底面図の一例を示す。
【０１１１】
図７に示される例において、吸気部５は、底部を中心とする環状に吸気口２０を備える。吸気部５は、底部に吸気調整部２２を備えてもよい。これとは異なり、吸気部５は、底部全域において吸気口２０を備えてもよい。吸気口２０は、吸気部５の底部に網目状に形成されてもよい。
【０１１２】
吸気部５は、底部を中心とする環状に形成される領域のうち、吸気口２０が形成されないフラット部２１を備えてもよい。フラット部２１は、装着者の身体に当接可能な領域に形成されてもよい。このような構成により、吸気口２０から装着者の衣服等が吸い込まれ、ファン３０に巻き込まれるのを回避可能となる。
【０１１３】
一例として、フラット部２１は、吸気部５の底部を中心として６０度から８０度程度に構成されてもよい。或いは、フラット部２１は、アーム１２の下方に形成されてもよい。
【０１１４】
図８は、第１実施形態における支持部３の構成の一例を示す図である。図８に示される例において、当接部材１０は、中空構造を備える筐体として構成される。
【０１１５】
当接部材１０の筐体は、前方枠１０ａ（１０）と後方枠１０ｂ（１０）とを当接させて構成される。前方枠１０ａ（１０）と後方枠１０ｂ（１０）は、対向する面が凹んで構成される。当接部材１０内には、モータに電源を供給する電源部５０が配設される。電源部５０は、蓄電池などにより構成されてもよい。
【０１１６】
このような構成により、当接部材１０が装着者の頸部後方に当接して電源部５０の重量を支持可能となる。このような構成により、送風ユニット２に電源部５０を配設することを回避できるため、送風ユニット２の重量を抑制可能となる。
【０１１７】
第１実施形態において、少なくとも前方枠１０ａ（１０）の装着者の身体に当接する面は、内側に湾曲して構成されてもよい。このような構成により、装着者の身体の形状に応じて当接することが可能となるため、装着時の快適性を向上させることができる。
【０１１８】
電源部５０は、平板状に構成されてもよい。このような構成により、電源部５０が嵩張るのを抑制でき、当接部材１０が嵩張るのを抑制可能となる。
【０１１９】
電源部５０は、モータへの電力供給量を調整可能な操作部を備えてもよい。このような構成により、装着者は、モータの回転数を調整することにより、所望の風量に調整可能となる。
【０１２０】
或いは、当接部材１０は、電源部５０のモータへの電力供給量を調整可能な操作部を備えてもよい。
【０１２１】
アーム１２には、モータに電源を供給する通電ケーブルが内蔵されてもよい。或いは、アーム１２は、通電ケーブルにより構成されてもよい。
【０１２２】
（第２実施形態）
次に、本発明の第２実施形態を説明する。第２実施形態の装着型空気浄化装置１は、気体の流動方向において吸気部５の前方に吸気調整部２２を備える。
【０１２３】
図９は、第２実施形態における装着型空気浄化装置１の構成の一例を示す図である。第２実施形態において、気体の流動方向に向かって、吸気部５、吸気調整部２２、フィルタ３２、ファン３０、および排気部７が配置される。図９に示される配置は、第２実施形態における装着型空気浄化装置１の一例であり、各構成要素が配置される順序は入れ換え可能である。
【０１２４】
吸気部５は、中空の半楕円体状に構成されるとともに、底部に吸気調整部２２を挿通可能な挿通孔４４を備える。吸気調整部２２は、中空構造を備え、吸気部５の内側に当接可能な形状に構成される。吸気調整部２２は、吸気部５の内側に嵌合可能に構成されてもよい。
【０１２５】
吸気調整部２２は、吸気口２０から吸入される気体の量を調整可能に構成される。第２実施形態において、吸気調整部２２は、吸気部５の内側に当接するとともに、吸気口２０から流入可能な気体の量を調整可能に構成される。
【０１２６】
吸気調整部２２は、環状に配設される調整窓４０と、底部に配設される摘み部４２とを備える。調整窓４０は、吸気口２０に対応する形状に形成されてもよい。調整窓４０の横方向の幅は、吸気口２０の横方向の幅と略同一であってもよい。
【０１２７】
調整窓４０は、吸気調整部２２が吸気部５の内側に当接する際に、吸気口２０に重なり合う位置に配置される。摘み部４２は、挿通孔４４に挿通されると、吸気部５の底部から外側に突出する。
【０１２８】
図１０は、第２実施形態における装着型空気浄化装置１の構成の一例を示す図である。図１０は、吸気調整部２２が吸気部５の内側に当接する場合の一例を示すものである。上述したように、吸気調整部２２は、吸気部５の内側に摺動可能に嵌合してもよい。
【０１２９】
吸気調整部２２が吸気部５に当接すると、調整窓４０は、吸気口２０の内側に配置される。調整窓４０は、吸気口２０に重なる位置に配設されてもよい。調整窓４０は、吸気口２０と略同一の幅に構成されてもよい。
【０１３０】
摘み部４２は、軸Ｔ１を中心に回動可能に構成される。摘み部４２が回動すると、吸気部５に当接した状態で吸気調整部２２が回動する。吸気調整部２２が軸Ｔ１を中心として回動すると、調整窓４０と吸気口２０との重なり合いにより形成される気体が通過可能な開口のサイズが変化する。このような構成により、装着者は、摘み部４２を回動させて吸気口２０から吸入される気体の量を調整可能となる。
【０１３１】
調整窓４０と吸気口２０とが略同形状に構成される場合、調整窓４０と吸気口２０とが完全に重なる場合、吸気口２０と調整窓４０との重なり合いにより形成される開口のサイズは最大になる。
【０１３２】
調整窓４０と吸気口２０とが完全に重なっている状態で、摘み部４２が装着者により操作されて吸気調整部２２が軸Ｔ１を中心に回動すると、調整窓４０と吸気口２０との重なり合いにより形成される開口のサイズが小さくなる。そうすると、吸気口２０から吸引される気体の量が少なくなるため、排気部７から排出される風量が弱くなる。
【０１３３】
調整窓４０の横方向における幅は、吸気口２０の横方向における幅より広く構成されてもよい。このような構成により、吸気口２０から吸入される気体の量を制限し過ぎることを回避可能となる。
【０１３４】
（第３実施形態）
次に、本発明の第３実施形態を説明する。本発明の第３実施形態における装着型空気浄化装置１は、筒状に構成される送風ユニット２を備える。
【０１３５】
図１１は、第３実施形態における装着型空気浄化装置１の構成の一例を示す図である。図１１に示される例において、送風ユニット２は、中空構造を備える円筒状に構成される。送風ユニット２において、気体の流動方向に向かって、吸気部５、フィルタ３２、ファン３０、方向調整部１７および排気部７が配置される。
【０１３６】
このような配置は、第３実施形態における装着型空気浄化装置１の構成の一例であり、各構成要素が配置される順序は変更可能である。
【０１３７】
送風ユニット２は、アーム１２に係合し、装着者の顎部の下方に配設される。送風ユニット２は、筒状に構成されることから、吸気部５から吸入された気体が受ける抵抗を抑制可能である。
【０１３８】
図１１に示される例において、方向調整部１７は、筒状の筐体の一部において、蛇腹状に伸縮自在に構成される。方向調整部１７は、弾性を有する樹脂等により形成されてもよい。方向調整部１７は、金属により構成されてもよい。このような構成により、気体の排出方向を所望の方向に調整可能となる。
【０１３９】
方向調整部１７は、図１１に示される例とは異なり、人力により撓ませることが可能な程度の可撓性を備えてもよい。方向調整部１７は、ゴムや樹脂、或いは金属により構成されてもよい。
【０１４０】
方向調整部１７が筒状の筐体の一部に形成されることにより、方向調整部１７により気体にかかる抵抗を抑制可能となる。
【０１４１】
（第４実施形態）
次に、本発明の第４実施形態を説明する。第４実施形態において例示する装着型空気浄化装置１は、送風ユニット２と装着者の身体との当接を抑制するスペーサ６０を備える。
【０１４２】
図１２は、第４実施形態における装着型空気浄化装置１の構成の一例を示す図である。送風ユニット２は、装着者の身体に当接するのを抑制可能なスペーサ６０を備える。このようにスペーサ６０を備えることにより、装着者の衣服等がファン３０に巻き込まれるのを抑制可能となる。
【０１４３】
図１２に示される例において、スペーサ６０は、吸気口２０と装着者の身体との間に配設される。スペーサ６０は、吸気口２０と所定距離を有する。このような構成により、気体の吸入を妨げることなく、装着者の衣服等がファンに巻き込まれるのを抑制可能となる。
【０１４４】
スペーサ６０は、対向する吸気部５の形状に対応する形状を備えてもよい。図１２に示される例において、スペーサ６０は、対向する吸気部５の湾曲する表面に対応して外側に湾曲する形状を備えてもよい。このような構成により、スペーサ６０と吸気部５との距離を維持することが可能となる。
【０１４５】
スペーサ６０は、装着型空気浄化装置１を装着する場合に、装着者の身体に対向する位置に配置される。このような構成により、送風ユニット２と装着者の身体との当接を抑制可能となる。
【０１４６】
支持部３は、スペーサ６０を備えてもよい。図１２に示される例において、スペーサ６０は、アーム１２に配設される。このような構成により、スペーサ６０と吸気口２０との間に所定距離を設け、気体の吸入を妨げることを回避可能となる。
【０１４７】
図１３は、第４実施形態における装着型空気浄化装置１の構成の一例を示す図である。図１２に示した例とは異なり、図１３に示される例において、スペーサ６０は、吸気部５の周囲を囲んで構成される。このような構成により、吸気口２０が装着者の身体に当接するのを良好に回避可能となる。
【０１４８】
図１３に示される例において、スペーサ６０は、底部を開放して構成される。スペーサ６０は、底面視略円形に開放される。このような構成により、吸気部５の下方から気体が吸気口２０に良好に吸入可能となる。
【０１４９】
スペーサ６０は、底部が開放された略楕円体の器状に構成される。スペーサ６０は、吸気部５に配設される吸気口２０の外側に、所定距離を設けて配置される。このような構成により、吸気口２０と装着者の衣服等が当接するのを回避可能となる。
【０１５０】
図１４は、第４実施形態における装着型空気浄化装置１の構成の一例を示す図である。図１４は、図１３におけるＡ−Ａ’断面図の一例である。スペーサ６０は、送風ユニット２の外側に配設される。スペーサ６０は、対向する送風ユニット２の表面形状に対応する形状を備える。スペーサ６０は、送風ユニット２との間に所定距離を設けて配設される。このような構成により、スペーサ６０により吸気口２０が閉塞されるのを回避可能となる。
【０１５１】
図１４に示される例において、スペーサ６０は、底部が開放される。このような構成により、吸気部５による気体の吸入を妨げることを抑制する。
【０１５２】
スペーサ６０は、送風ユニット２における対向する面との間に所定距離を備えて、吸気部５の周囲を囲んで構成される。このような構成により、装着型空気浄化装置１が装着されている状態で送風ユニット２が移動して、装着者と当接する位置が変化したとしても、吸気口２０が装着者と当接することを良好に回避可能となる。
【０１５３】
（第５実施形態）
次に、本発明の第５実施形態を説明する。第５実施形態において、装着型空気浄化装置１のファン３０は、遠心ファンにより構成される。図１５は、第５実施形態における装着型空気浄化装置１の構成の一例を示す図である。
【０１５４】
第５実施形態において、ファン３０は、遠心ファンにより構成される。ファン３０は、回転軸と直交方向に空気を押し出す。図１５に示される例において、送風ユニット２は、ファン３０の回転軸と直交方向に排気部７を備える。
【０１５５】
排気部７は、装着者の鼻口方向に排気可能に構成される。図１５に示される例において、送風ユニット２は、装着者の顎部の下方に配置される。排気部７は、上方の鼻口方向に向けて排気可能に構成される。
【０１５６】
方向調整部１７は、送風ユニット２を回動自在に構成されてもよい。図１５に示される例において、方向調整部１７は、装着者の身体に対向する面に突出して形成される。方向調整部１７は、アーム１２の一端に接する。このような構成により、方向調整部１７は、送風ユニット２を回動させることにより、排気部７の方向を調整可能となる。
【０１５７】
方向調整部１７は、アーム１２から連続して形成されてもよいし、アーム１２に着脱自在に係合してもよい。
【０１５８】
図１６は、第５実施形態における装着型空気浄化装置１の構成の一例を示す図である。図１６は、第５実施形態における送風ユニット２の構成の一例を示すものである。第５実施形態において、送風ユニット２は、遠心ファンにより構成されるファン３０と、フィルタ３２とを中空構造を有する筐体内に格納する。筐体は、第１カバー部７０と、第２カバー部７２とを係合させて構成される。
【０１５９】
第１カバー部７０は、底板７４と側壁７６とを備える。方向調整部１７は、底板７４から突出して構成される。方向調整部１７は、第１カバー部７０に回動自在に係合する。このような構成により、送風ユニット２は、方向調整部１７を中心として回動して排気部７の方向を調整可能となる。
【０１６０】
方向調整部１７は、ファン３０の回転における中心となる軸Ｔ２を中心として回動可能に構成されてもよい。このような構成により、送風ユニット２は、ファン３０の回転軸を動かすことなく排気部７の排気方向のみを変化させることが可能となる。
【０１６１】
排気口１５は、送風ユニット２を構成する筐体から着脱自在に構成されてもよい。一例として、排気口１５は、第１カバー部７０および第２カバー部７２の夫々に着脱自在に係合してもよい。図１６に示される例とは異なり、排気口１５は、筒状に構成されるとともに、送風ユニット２を構成する筐体に着脱自在に係合してもよい。このような構成により、排気口１５を取り換え可能となる。
【０１６２】
（第６実施形態）
次に、本発明の第６実施形態を説明する。第６実施形態にて示す装着型空気浄化装置１において、ファン３０は遠心ファンにより構成される。
【０１６３】
図１７は、第６実施形態における装着型空気浄化装置１の構成の一例を示す図である。ファン３０は、回転軸の直交方向に気体を送出する。ファン３０は、シロッコファンなど公知の遠心ファンにより構成される。
【０１６４】
排気部７は、上端を中心として、平面視環状に排気口１５を備えてもよい。このような構成により、ファン３０の回転軸から直交方向に送出された気体が、環状に配設される排気口１５から広範囲に送風可能となる。
【０１６５】
（変形例）
本発明を適用した第１実施形態乃至第６実施形態を説明したが、本発明はこれに限定されるものではなく、種々の変形例が適用可能である。
【０１６６】
例えば、支持部３を構成するアーム１２は、伸縮自在に構成されてもよい。このような構成により、送風ユニット２の位置を調整可能となる。
【０１６７】
例えば、第１実施形態において、方向調整部１７が排気部７に形成される構成を説明したが、排気部７は、方向調整部１７を備えなくともよい。すなわち、排気部７は、排気口１５の方向を変更不能であってもよい。なお、排気口１５は、排気部７を構成する筐体に着脱自在に係合してもよい。
【符号の説明】
【０１６８】
１    装着型空気浄化装置
２    送風ユニット
３    支持部
１０  当接部材
１２  アーム
１５  排気口
１７  方向調整部
２０  吸気口
２１  フラット部
２２  吸気調整部
３０  ファン
３２  フィルタ
６０  スペーサ
Ｔ２  軸（回転軸）
Ｔ３  軸（回転軸）
【要約】
【課題】ユーザーの鼻口近傍の空気を効率的に浄化可能な装着型空気浄化装置を提供する。
【解決手段】身体に装着可能であって、装着者の鼻口近傍に送風可能な送風ユニット２と、送風ユニット２を装着者の身体に支持させる支持部３とを備え、送風ユニット２は、ファン３０の回転により気体を吸入する吸気部５と、気体の流動方向において吸気部５より前方に配設される排気部７と、排気部７から気体が排出される方向を調整可能な方向調整部１７とを備える装着型空気浄化装置１を提供する。
【選択図】図１【図１】
0006868857.tif 000002
【図２】
0006868857.tif 000003
【図３】
0006868857.tif 000004
【図４】
0006868857.tif 000005
【図５】
0006868857.tif 000006
【図６】
0006868857.tif 000007
【図７】
0006868857.tif 000008
【図８】
0006868857.tif 000009
【図９】
0006868857.tif 000010
【図１０】
0006868857.tif 000011
【図１１】
0006868857.tif 000012
【図１２】
0006868857.tif 000013
【図１３】
0006868857.tif 000014
【図１４】
0006868857.tif 000015
【図１５】
0006868857.tif 000016
【図１６】
0006868857.tif 000017
【図１７】
0006868857.tif 000018